(57)【特許請求の範囲】
【請求項１】
動作状態と待機状態に切り替えられる表示装置において、
表示手段と、
当該表示装置を動作状態または待機状態に切り替えるために操作される切替操作手段と、
当該表示装置が動作状態の間は前記表示手段の表示を制御すると共に当該表示装置が待機状態の間は当該表示手段の表示の制御を停止する第１の制御手段と、
前記切替操作手段の操作に基づいて前記第１の制御手段を制御することにより当該表示装置を動作状態または待機状態に切り替え、当該表示装置が動作状態の間は低消費電力モードで動作すると共に当該表示装置が待機状態の間は通常モードで動作する第２の制御手段とを有する
ことを特徴とする表示装置。
【請求項２】
前記第１の制御手段は通常モードと低消費電力モードに切り替えられ、当該表示装置が動作状態の間は通常モードで動作し前記表示手段の表示を制御すると共に、当該表示装置が待機状態の間は低消費電力モードで動作し当該表示手段の表示の制御を停止する
ことを特徴とする請求項１記載の表示装置。
【請求項３】
前記第１の制御手段は、通常モードおよび低消費電力モードで動作するタイマー手段を有し、当該タイマー手段は経過時間に基づいて、第１の制御手段および第２の制御手段のモードを切り替える
ことを特徴とする請求項２記載の表示装置。
【請求項４】
動作状態と待機状態に切り替えられる表示装置の消費電力削減方法において、
当該表示装置の表示手段を制御する第１の制御手段は、当該表示装置が動作状態の間は前記表示手段の表示を制御すると共に当該表示装置が待機状態の間は当該表示手段の表示の制御を停止する工程を有し、
当該表示装置を動作状態または待機状態に切り替えるために操作される切替操作手段の操作に基づいて前記第１の制御手段を制御することにより当該表示装置を動作状態または待機状態に切り替える第２の制御手段は、当該表示装置が動作状態の間は低消費電力モードで動作すると共に当該表示装置が待機状態の間は通常モードで動作する工程を有する
ことを特徴とする消費電力削減方法。
【請求項５】
前記第１の制御手段は、当該表示装置が動作状態の間は通常モードで動作し、当該表示装置が待機状態の間は低消費電力モードで動作する
ことを特徴とする請求項４記載の消費電力削減方法。
【請求項６】
前記第１の制御手段は、通常モードおよび低消費電力モードで動作するタイマー手段を有し、当該タイマー手段は経過時間に基づいて、第１の制御手段および第２の制御手段のモードを切り替える
ことを特徴とする請求項５記載の消費電力削減方法。
【発明の詳細な説明】
【０００１】
【発明の属する技術分野】
この発明は表示装置と消費電力削減方法に関する。詳しくは、表示装置の表示手段を制御する第１の制御手段は、表示装置が動作状態の間は表示手段の表示を制御すると共に表示装置が待機状態の間は表示手段の表示の制御を停止し、切替操作手段の操作に基づいて第１の制御手段を制御することにより表示装置を動作状態または待機状態に切り替える第２の制御手段は、表示装置が動作状態の間は低消費電力モードで動作すると共に、当該表示装置が待機状態の間は通常モードで動作することで、待機状態での消費電力を削減するものである。
【０００２】
【従来の技術】
近年、環境問題の対策として電子機器では低消費電力化が進められている。ここで、電子機器は動作時だけでなく待機時にも電力が消費される。例えば待機時にもリモートコントロール信号受信回路（以下「リモコン受信回路」という）やタイマー回路等に対して給電を行うことにより、リモートコントロール信号送信機（以下「リモコン送信機」という）から所定の信号が供給されたことをリモコン受信回路で検出した場合、あるいはタイマー回路で所定の時間が経過したことを検出した場合に、直ちに電子機器の動作が開始されるようになされている。このため、電子機器の消費電力を更に削減するためには、動作時だけでなく待機時の消費電力も削減しなければならない。
【０００３】
このため、例えば２つの電源回路を設けるものとして、待機時には一方の電源回路（スタンバイ電源回路）からリモコン受信回路やタイマー回路および各種の制御を行うための制御回路に対して給電を行うと共に、動作時には他方の電源回路（メイン電源回路）にも電源を供給して、他方の電源回路から他の回路に対して給電を行うことにより電子機器を動作させることが提案されている。
【０００４】
【発明が解決しようとする課題】
ところで、上述の制御回路は、電子機器の待機時と動作時に種々の制御を行うものであり、待機時であっても動作時と同様な処理が行われて電力が動作時と同様に消費されてしまう。
【０００５】
そこで、この発明では、待機状態等であるときの消費電力を少なくできる表示装置と消費電力削減方法を提供するものである。
【０００６】
【課題を解決するための手段】
この発明に係る表示装置は、動作状態と待機状態に切り替えられる表示装置において、表示手段と、当該表示装置を動作状態または待機状態に切り替えるために操作される切替操作手段と、当該表示装置が動作状態の間は前記表示手段の表示を制御すると共に、当該表示装置が待機状態の間は当該表示手段の表示の制御を停止する第１の制御手段と、前記切替操作手段の操作に基づいて前記第１の制御手段を制御することにより当該表示装置を動作状態または待機状態に切り替え、当該表示装置が動作状態の間は低消費電力モードで動作すると共に当該表示装置が待機状態の間は通常モードで動作する第２の制御手段とを有するものである。
【０００７】
また消費電力削減方法は、動作状態と待機状態に切り替えられる表示装置の消費電力削減方法において、当該表示装置の表示手段を制御する第１の制御手段は、当該表示装置が動作状態の間は前記表示手段の表示を制御すると共に当該表示装置が待機状態の間は当該表示手段の表示の制御を停止する工程を有し、当該表示装置を動作状態または待機状態に切り替えるために操作される切替操作手段の操作に基づいて前記第１の制御手段を制御することにより当該表示装置を動作状態または待機状態に切り替える第２の制御手段は、当該表示装置が動作状態の間は低消費電力モードで動作すると共に当該表示装置が待機状態の間は通常モードで動作する工程を有するものである。
【０００９】
この発明においては、例えばリモコン操作に応じて表示装置が動作状態あるいは待機状態に切り替えられる。表示装置の表示手段を制御する第１の制御手段は、表示装置が動作状態の間は通常モードとされて表示手段の表示を制御すると共に表示装置が待機状態の間は低消費電力モードとされて表示手段の表示の制御を停止する。表示装置を動作状態または待機状態に切り替えるために操作される切替操作手段の操作に基づいて第１の制御手段を制御することにより表示装置を動作状態または待機状態に切り替える第２の制御手段は、表示装置が動作状態の間は低消費電力モードで動作すると共に表示装置が待機状態の間は通常モードで動作する。また、第１の制御手段はタイマー手段を有し、このタイマー手段は通常モードと低消費電力モードで動作するものとされて、このタイマー手段は経過時間に基づいて第１の制御手段および第２の制御手段の切り替えを行う。
【００１０】
【発明の実施の形態】
以下、図を参照しながら、この発明の第１の実施の形態について説明する。図１は待機時の消費電力を少なくできる電子機器、例えばテレビジョン装置の構成の一部を示している。
【００１１】
ＡＣインレット（図示せず）に挿入されて商用電源電圧が印加されるプラグ１２は、主電源スイッチ１５の一方の端子１５aと接続されると共に、他方の端子１５bはサブ電源回路２２およびモード切替スイッチ３０の一方の端子３０aと接続される。なお、主電源スイッチ１５は、テレビジョン装置の視聴者の操作によって、端子１５a，１５b間が導通状態あるいは非導通状態に切り替えられるものである。また、モード切替スイッチ３０はテレビジョン装置の動作モードを待機状態あるいは動作状態に切り替えるためのものである。
【００１２】
サブ電源回路２２には、モード切替制御回路２５やリモートコントロール信号受信回路（以下「リモコン受信回路」という）４０が接続されて、テレビジョン装置が待機モードあるいは動作モードとされている時に、サブ電源回路２２からモード切替制御回路２５やリモコン受信回路４０に対して電力Ｐstの供給を行う。
【００１３】
モード切替スイッチ３０の他方の端子３０bはメイン電源回路３２と接続される。また、モード切替スイッチ３０は、後述する第２の制御手段であるモード切替制御回路２５からのスイッチ制御信号ＣＴaに基づき、端子３０a，３０b間を導通状態（オン状態）あるいは非導通状態（オフ状態）に切り替える。
【００１４】
メイン電源回路３２には、メイン制御回路３５と画像表示等を行うためのテレビジョンブロック５０が接続される。このメイン電源回路３２に対して商用電源が供給されたときには、第１の制御手段であるメイン制御回路３５や表示手段であるテレビジョンブロック５０に対して給電を行いテレビジョン装置を動作状態とする。
【００１５】
サブ電源回路２２に接続されたモード切替制御回路２５には、後述するメイン制御回路３５やリモコン受信回路４０が接続されており、メイン制御回路３５からメイン制御回路３５が動作状態であるか否かを示すステータス信号ＳＭＰaや、テレビジョン装置がオフタイマー機能すなわち設定時間経過後に自動的にテレビジョン装置の動作を終了する機能を有する場合に、設定時間分だけ時間が経過したことを示すオフ制御信号ＳＯＴaが供給される。また、リモートコントロール信号送信機（以下「リモコン送信機」という）４５からの信号を受信して生成された受信信号ＲＳがリモコン受信回路４０から供給される。このモード切替制御回路２５では、供給されたステータス信号ＳＭＰaやオフ制御信号ＳＯＴa、受信信号ＲＳに基づきスイッチ制御信号ＣＴaを生成してモード切替スイッチ３０の制御を行う。
【００１６】
ここで、モード切替制御回路２５は、マイクロコンピュータを用いて構成されており、動作モードを通常モードあるいは低消費電力モードに切り替えることができるようになされている。この動作モードが低消費電力モードとされたときには、モード切替制御回路２５の動作が停止されて消費電力が少ないものとなる。また、モード切替制御回路２５は、スイッチ制御信号ＣＴaを生成してモード切替スイッチ３０を制御するものであり、従来のようにテレビジョンブロック５０の制御を行うものでないことから、通常モードでの消費電力も従来に比べて少ないものである。
【００１７】
メイン電源回路３２に接続されたメイン制御回路３５には、切替操作手段を構成する操作部３８とリモコン受信回路４０が接続されており、操作部３８からの操作信号ＣＳあるいはリモコン受信回路４０からの受信信号ＲＳに基づきテレビジョン制御信号ＣＴＶを生成する。なお、切替操作手段は、操作部３８とリモコン受信回路４０、リモコン送信機４５や電源キー２８で構成されている。このテレビジョン制御信号ＣＴＶがテレビジョンブロック５０に供給されて、所望の番組の選局等が行われる。また、メイン制御回路３５では、上述したようにメイン制御回路３５が動作状態であるか否かを示すステータス信号ＳＭＰaを生成してモード切替制御回路２５に供給する。さらに、オフタイマーの設定がなされているときに、設定された時間が経過したか否かを示すオフ制御信号ＳＯＴaを生成してモード切替制御回路２５に供給する。
【００１８】
リモコン受信回路４０では、リモートコントロール送信機（以下「リモコン送信機」という）４５からの信号を受信して受信信号ＲＳを生成する。この生成された受信信号ＲＳは、上述したようにモード切替制御回路２５とメイン制御回路３５に供給される。
【００１９】
次に、このように構成されたテレビジョン装置の動作を図２に示すフローチャートを用いて説明する。まず、プラグ１２をＡＣインレットに挿入して主電源スイッチ１５をオン状態とすると、モード切替制御回路２５とリモコン受信回路４０に対して電力Ｐstの供給が行われて、ステップＳＴ１ではモード切替制御回路２５が通常モードで動作してステップＳＴ２に進む。
【００２０】
ステップＳＴ２では、モード切替制御回路２５でスイッチ制御信号ＣＴaを生成してモード切替スイッチ３０をオフ状態に設定してステップＳＴ３に進む。なお、プラグ１２をＡＣインレットに挿入して主電源スイッチ１５をオン状態としたときに、モード切替スイッチ３０がオフ状態であるときには、その状態が保持されてステップＳＴ３に進む。
【００２１】
ステップＳＴ３では、リモコン受信回路４０からの受信信号ＲＳに基づき、リモコン送信機４５でテレビジョン装置を動作状態とする操作（以下「パワーオン操作」という）が行われたか否かがモード切替制御回路２５で判別される。ここで、パワーオン操作が行われたと判別されていないときにはステップＳＴ３に戻り、パワーオン操作が行われたと判別されたときにはステップＳＴ４に進む。
【００２２】
ステップＳＴ４では、スイッチ制御信号ＣＴaによってモード切替スイッチ３０をオン状態としてメイン制御回路３５に商用電源を供給する。このとき、メイン制御回路３５とテレビジョンブロック５０に対して電力Ｐmaの供給が開始されて、テレビジョン装置が動作状態とされる。
【００２３】
次のステップＳＴ５では、メイン制御回路３５に電力が供給されてメイン制御回路３５の動作が開始されたことが、ステータス信号ＳＭＰaに基づいてモード切替制御回路２５で判別されると、モード切替制御回路２５では動作を低消費電力モードに切り替えてステップＳＴ６に進む。
【００２４】
ステップＳＴ６では、リモコン受信回路４０からの受信信号ＲＳに基づき、リモコン送信機４５でテレビジョン装置の動作を終了させて待機状態とする操作（以下「パワーオフ操作」という）が行われたか否かが判別される。ここで、パワーオフ操作が行われたと判別されたときにはステップＳＴ７に進み、パワーオフ操作が行われたと判別されていないときにはステップＳＴ８に進む。
【００２５】
ステップＳＴ７では、ステータス信号ＳＭＰaによってメイン制御回路３５の動作終了がモード切替制御回路２５に示されてステップＳＴ１０に進む。
【００２６】
また、ステップＳＴ８では、オフタイマーの設定がなされているときに、設定された時間が経過したか否かの判別が行われる。ここで、時間が設定時間分だけ経過していないときにはステップＳＴ６に戻り、時間が経過したときにはステップＳＴ９に進む。
【００２７】
ステップＳＴ９では、オフ制御信号ＳＯＴaによってタイマー設定時間が経過してテレビジョン装置の動作を終了する時間（以下「オフ時間」という）となったことがモード切替制御回路２５に示されてステップＳＴ１０に進む。
【００２８】
ステップＳＴ１０では、ステータス信号ＳＭＰaによってメイン制御回路３５の動作終了あるいはオフ制御信号ＳＯＴaによってテレビジョン装置のオフ時間となったことがモード切替制御回路２５で判別されると、モード切替制御回路２５では動作を低消費電力モードから通常モードに切り替えてステップＳＴ２に戻る。
【００２９】
このようにして、モード切替制御回路の動作が通常モードであるときにテレビジョン装置が待機状態とされると共に、テレビジョン装置が動作状態とされているときには、モード切替制御回路の動作が低消費電力モードとなる。
【００３０】
図３は、モード切替制御回路２５やメイン制御回路３５等の動作を示しており、時点ｔ1でサブ電源回路２２からモード切替制御回路２５に対して電力Ｐst（図３Ａ）の供給が開始されると、モード切替制御回路２５（図３Ｂ）は通常モードで動作が開始される。ここで、スイッチ制御信号ＣＴa（図３Ｃ）を例えばローレベル「Ｌ」として、モード切替スイッチ３０はオフ状態とされる。このため、メイン制御回路３５やテレビジョンブロック５０に対して電力Ｐma（図３Ｄ）の供給は停止された状態となる。
【００３１】
時点ｔ2でパワーオン操作をリモコン送信機４５で行うと、モード切替制御回路２５では、受信信号ＲＳ（図３Ｅ）に基づき、スイッチ制御信号ＣＴaをハイレベル「Ｈ」としてモード切替スイッチ３０をオン状態とする。このとき、メイン制御回路３５やテレビジョンブロック５０に対して電力Ｐmaの供給が開始される。
【００３２】
また、メイン制御回路３５（図３Ｆ）では、電力Ｐmaが供給されて動作が開始されたことからステータス信号ＳＭＰa（図３Ｇ）の信号レベルをハイレベル「Ｈ」とする。このステータス信号ＳＭＰaによって、モード切替制御回路２５ではメイン制御回路３５の動作が開始されたことが判別されて、モード切替制御回路２５の動作モードを低消費電力モードに切り替える。
【００３３】
その後、時点ｔ3でパワーオフ操作をリモコン送信機４５で行うと、メイン制御回路３５では、メイン制御回路３５の動作終了を示すためにステータス信号ＳＭＰaの信号レベルをローレベル「Ｌ」とする。モード切替制御回路２５では、ステータス信号ＳＭＰaがローレベル「Ｌ」とされたことによりメイン制御回路３５の動作終了と判別して、モード切替制御回路２５の動作を通常モードに切り替えると共に、スイッチ制御信号ＣＴaをローレベル「Ｌ」としてモード切替スイッチ３０をオフ状態とする。このため、メイン制御回路３５やテレビジョンブロック５０に対して電力Ｐmaの供給が停止されて、テレビジョン装置は動作状態から待機状態に切り替えられる。
【００３４】
時点ｔ4でパワーオン操作を行うと、上述の処理が行われてテレビジョン装置の動作が開始される。ここで、オフタイマーの設定がなされて、設定された時間が経過した時点ｔ5となると、オフ制御信号ＳＯＴa（図３Ｈ）の信号レベルはハイレベル「Ｈ」となる。このとき、モード切替制御回路２５では動作モードを低消費電力モードから通常モードに切り替えると共に、スイッチ制御信号ＣＴaをローレベル「Ｌ」としてモード切替スイッチ３０をオフ状態とする。このため、メイン制御回路３５やテレビジョンブロック５０に対して電力Ｐmaの供給が停止されて、設定された時間で自動的にテレビジョン装置が動作状態から待機状態に切り替えられる。
【００３５】
このように、テレビジョン装置が待機状態のときには、消費電力の少ないモード切替制御回路２５によって動作が制御される。また、テレビジョン装置が動作状態のときには、メイン制御回路３５によって動作が制御されると共に、モード切替制御回路２５の動作モードが通常モードから低消費電力モードに切り替えられる。このため、テレビジョン装置の待機時の消費電力を削減することができると共に、テレビジョン装置の動作時に、モード切替制御回路２５で無駄な電力が消費されてしまうことを防止できる。
【００３６】
ところで、電子機器では、例えば時刻情報を用いてタイマー動作等も行われる場合がある。そこで、第２の実施の形態としてタイマー動作等を行うことができる電子機器について図４を用いて説明する。なお、図４において、図１と対応する部分については同一符号を付し、その詳細な説明は省略する。
【００３７】
図４のプラグ１２は、サブ電源回路２２と電源スイッチ１８の一方の端子１８aと接続される。また電源スイッチ１８の他方の端子１８bは、メイン電源回路３２と接続される。
【００３８】
サブ電源回路２２には、モード切替制御回路２７やリモコン受信回路４０だけでなくメイン制御回路３７が接続されて、テレビジョン装置の待機時および動作時にサブ電源回路２２から電力Ｐstの供給が行われる。
【００３９】
電源スイッチ１８の他方の端子１８bはメイン電源回路３２と接続される。また、電源スイッチ１８は、モード切替制御回路２７からのスイッチ制御信号ＣＴbに基づきオン状態あるいはオフ状態に切り替えられる。
【００４０】
メイン電源回路３２には、テレビジョンブロック５０が接続されて、このメイン電源回路３２からテレビジョンブロック５０に対して電力Ｐmaが供給されることにより、テレビジョン装置が動作状態とされる。
【００４１】
サブ電源回路２２に接続されたモード切替制御回路２７には、電源キー２８とメイン制御回路３７およびリモコン受信回路４０が接続されており、電源キー２８の操作信号ＣＰやメイン制御回路３７が動作状態であるか否かを示すステータス信号ＳＭＰb、オフタイマー設定時間を示すオフ制御信号ＳＯＴbおよび受信信号ＲＳが供給される。このモード切替制御回路２７では、供給された操作信号ＣＰやステータス信号ＳＭＰb、オフ制御信号ＳＯＴbおよび受信信号ＲＳに基づきスイッチ制御信号ＣＴbを生成して電源スイッチ１８の制御を行う。
【００４２】
ここで、モード切替制御回路２７は、マイクロコンピュータを用いて構成されており、動作モードを通常モードあるいは低消費電力モードに切り替えることができるようになされている。この動作モードが低消費電力モードとされたときには、モード切替制御回路２７の動作が停止されて消費電力が少ないものとなる。また、モード切替制御回路２７は、スイッチ制御信号ＣＴbを生成して電源スイッチ１８を制御するものであり、従来のようにテレビジョンブロック５０の制御を行うものでないことから、通常モードでの消費電力も従来に比べて少ないものである。
【００４３】
メイン電源回路３２に接続されたメイン制御回路３７には、操作部３８とリモコン受信回路４０が接続されており、操作部３８からの操作信号ＣＳあるいはリモコン受信回路４０からの受信信号ＲＳに基づきテレビジョン制御信号ＣＴＶを生成してテレビジョンブロック５０に供給する。また、ステータス信号ＳＭＰbやオフ制御信号ＳＯＴbを生成してモード切替制御回路２７に供給する。
【００４４】
ここで、メイン制御回路３７は、モード切替制御回路２７と同様にマイクロコンピュータを用いて構成されており、スイッチ制御信号ＣＴbに基づいて動作モードを通常モードあるいは低消費電力モードに切り替えることができるようになされている。この通常モードでは、操作部３８からの操作信号ＣＳあるいはリモコン受信回路４０からの受信信号ＲＳに基づきテレビジョン制御信号ＣＴＶ等の生成を行う。また、低消費電力モードでは、時刻情報を用いた制御を可能とするため時計機能が正しく動作すると共に、他の処理を低速で行うことにより消費電力が少ないものとされる。
【００４５】
次に、このように構成されたテレビジョン装置の動作を図５に示すフローチャートを用いて説明する。まず、プラグ１２をＡＣインレットに挿入すると、モード切替制御回路２７とメイン制御回路３７とリモコン受信回路４０に対して電力Ｐstの供給が行われて、ステップＳＴ１１ではモード切替制御回路２７とメイン制御回路３７が通常モードで動作されてステップＳＴ１２に進む。
【００４６】
ステップＳＴ１２では、モード切替制御回路２７でスイッチ制御信号ＣＴbを生成して電源スイッチ１８をオフ状態に設定すると共に、メイン制御回路３７の動作モードを通常モードから低消費電力モードに切り替えてステップＳＴ１３に進む。なお、プラグ１２をＡＣインレットに挿入したとき電源スイッチ１８がオフ状態であるときには、その状態が保持されてステップＳＴ１３に進む。
【００４７】
ステップＳＴ１３では、操作信号ＣＰに基づき電源キー２８が操作されたか否かの判別がモード切替制御回路２７で行われる。ここで、電源キー２８が操作されたと判別されていないときにはステップＳＴ１４に進み、操作されたと判別されたときにはステップＳＴ１５に進む。
【００４８】
ステップＳＴ１４では、リモコン受信回路４０からの受信信号ＲＳに基づき、リモコン送信機４５でパワーオン操作が行われたか否かの判別がモード切替制御回路２７で行われる。ここで、パワーオン操作が行われたと判別されていないときにはステップＳＴ１３に戻り、パワーオン操作が行われたと判別されたときにはステップＳＴ１５に進む。
【００４９】
ステップＳＴ１５では、スイッチ制御信号ＣＴbによって電源スイッチ１８をオン状態としてメイン制御回路３７に商用電源を供給する。このとき、テレビジョンブロック５０に対して電力Ｐmaの供給が開始されて、テレビジョン装置が動作状態とされる。また、メイン制御回路３７の動作モードは低消費電力モードから通常モードに切り替えられる。
【００５０】
次のステップＳＴ１６では、メイン制御回路３７が通常モードとされてメイン制御回路３７の動作が開始されたことが、ステータス信号ＳＭＰbに基づいてモード切替制御回路２７で判別されると、モード切替制御回路２７では動作を低消費電力モードに切り替えてステップＳＴ１７に進む。
【００５１】
ステップＳＴ１７では、電源キー２８が操作されたか否かの判別が行われて、操作信号ＣＰに基づき電源キー２８の操作されたと判別されていないときにはステップＳＴ１８に進み、操作されたと判別されたときにはステップＳＴ２２に進む。
【００５２】
ステップＳＴ１８では、リモコン受信回路４０からの受信信号ＲＳに基づき、リモコン送信機４５でパワーオフ操作が行われたか否かが判別される。ここで、パワーオフ操作が行われたと判別されたときにはステップＳＴ１９に進み、パワーオフ操作が行われたと判別されていないときにはステップＳＴ２０に進む。
【００５３】
ステップＳＴ１９では、ステータス信号ＳＭＰbによってメイン制御回路３５の動作終了がモード切替制御回路２７に示されてステップＳＴ２２に進む。
【００５４】
また、ステップＳＴ２０では、オフタイマーの設定がなされているときに、設定された時間が経過したか否かの判別が行われる。ここで、時間が設定時間分だけ経過していないときにはステップＳＴ１７に戻り、時間が経過したときにはステップＳＴ２１に進む。
【００５５】
ステップＳＴ２１では、オフ制御信号ＳＯＴbによってオフ時間となったことがモード切替制御回路２７に示されてステップＳＴ２２に進む。
【００５６】
ステップＳＴ２２では、ステータス信号ＳＭＰbによってメイン制御回路３７の動作終了あるいはオフ制御信号ＳＯＴbによってテレビジョン装置のオフ時間となったことがモード切替制御回路２７で判別されると、モード切替制御回路２７では動作を低消費電力モードから通常モードに切り替えてステップＳＴ１２に戻る。
【００５７】
このようにして、モード切替制御回路２７の動作が通常モードであるときにテレビジョン装置が待機状態とされると共にメイン制御回路３７が低消費電力モードとされる。また、テレビジョン装置が動作状態とされているときには、モード切替制御回路の動作が低消費電力モードとなる。
【００５８】
図６は、第２の実施の形態でのモード切替制御回路２７やメイン制御回路３７等の動作を示しており、時点ｔ11でサブ電源回路２２からモード切替制御回路２５に対して電力Ｐst（図６Ａ）の供給が開始されると、モード切替制御回路２７（図６Ｂ）は通常モードで動作が開始される。
【００５９】
ここで、スイッチ制御信号ＣＴb（図６Ｃ）を例えばローレベル「Ｌ」として、電源スイッチ１８はオフ状態とされる。このため、メイン制御回路３７（図６Ｄ）は低消費電力モードとされて消費される電力が少ないものとされると共に、テレビジョンブロック５０に対して電力Ｐma（図６Ｅ）の供給は停止された状態となる。
【００６０】
時点ｔ12でパワーオン操作をリモコン送信機４５で行うと、モード切替制御回路２７では、受信信号ＲＳ（図６Ｆ）に基づき、スイッチ制御信号ＣＴbをハイレベル「Ｈ」として電源スイッチ１８をオン状態とする。このとき、メイン制御回路３７は低消費電力モードから通常モードに切り替えられると共に、テレビジョンブロック５０に対して電力Ｐmaの供給が開始される。
【００６１】
また、メイン制御回路３７では、動作が通常モードに切り替えられたことからステータス信号ＳＭＰb（図６Ｇ）の信号レベルをハイレベル「Ｈ」とする。このステータス信号ＳＭＰbによって、モード切替制御回路２７ではメイン制御回路３７の動作が開始されたことが判別される。このとき、モード切替制御回路２７の動作モードが通常モードから低消費電力モードに切り替えられて消費される電力が少ないものとされる。
【００６２】
その後、時点ｔ3でパワーオフ操作をリモコン送信機４５で行うと、メイン制御回路３７では、メイン制御回路３７の動作終了を示すためにステータス信号ＳＭＰbの信号レベルをローレベル「Ｌ」とする。モード切替制御回路２７では、ステータス信号ＳＭＰbがローレベル「Ｌ」とされたことによりメイン制御回路３７の動作終了と判別して、モード切替制御回路２７の動作を通常モードに切り替えると共に、スイッチ制御信号ＣＴbをローレベル「Ｌ」としてモード切替スイッチ３０をオフ状態とする。このため、テレビジョンブロック５０に対して電力Ｐmaの供給が停止されて、テレビジョン装置が動作状態から待機状態に切り替えられる。また、スイッチ制御信号ＣＴbがローレベル「Ｌ」とされるとから、メイン制御回路３７は低消費電力モードに切り替えられる。
【００６３】
次に、テレビジョン装置が動作状態であるときにオフタイマーの設定がなされて、時点ｔ14で設定された時間が経過すると、オフ制御信号ＳＯＴb（図６Ｈ）の信号レベルはハイレベル「Ｈ」となる。このとき、モード切替制御回路２７では動作モードを低消費電力モードから通常モードに切り替えると共に、スイッチ制御信号ＣＴbをローレベル「Ｌ」として電源スイッチ１８をオフ状態とする。このため、テレビジョンブロック５０に対して電力Ｐmaの供給が停止されて、設定された時間で自動的にテレビジョン装置が動作状態から待機状態に切り替えられる。また、スイッチ制御信号ＣＴbがローレベル「Ｌ」とされるとから、メイン制御回路３７は低消費電力モードに切り替えられる。
【００６４】
このように、テレビジョン装置が待機状態とされたときには、消費電力の少ないモード切替制御回路２７によって動作が制御されると共に、メイン制御回路３７は低消費電力モードとされる。また、テレビジョン装置が動作状態とされたときには、メイン制御回路３７によって動作が制御されると共に、モード切替制御回路２７は通常モードから低消費電力モードに動作モードが切り替えられる。このため、テレビジョン装置の待機時の消費電力を削減することができると共に、テレビジョン装置の動作時に、モード切替制御回路２５で無駄な電力が消費されてしまうことを防止できる。また、メイン制御回路３５では、通常モードあるいは低消費電力モードであっても時計機能が正しく動作するので、時刻情報を用いてタイマー動作を行うことができる。
【００６５】
次に、第３の実施の形態として、動作状態でないときの消費電力を更に削減できる電子機器について、図７のフローチャートを用いて説明する。この図７に示すフローチャートのステップＳＴ３１〜ＳＴ４２で示す処理は、図５に示すフローチャートのステップＳＴ１７〜ＳＴ２２に示す処理に相当するものである。なお、他の処理については説明を簡単とするため省略する。また、第３の実施の形態の構成は、第２の実施の形態と同じものであり、構成の説明も省略する。
【００６６】
図７のステップＳＴ３１では、電源キー２８が操作されたか否かの判別が行われて、操作信号ＣＰに基づき電源キー２８の操作されたと判別されたときにはステップＳＴ３２に進み、操作されたと判別されていないときにはステップＳＴ３３に進む。
【００６７】
ステップＳＴ３２では、モード切替制御回路２７の動作モードが低消費電力モードから通常モードに切り替えられる。また、モード切替制御回路２７でスイッチ制御信号ＣＴbを生成して、このスイッチ制御信号ＣＴbによって電源スイッチ１８をオフ状態に設定すると共にメイン制御回路３７の動作モードを通常モードから低消費電力モードに切り替えてステップＳＴ３９に進む。
【００６８】
ステップＳＴ３３では、リモコン受信回路４０からの受信信号ＲＳに基づき、リモコン送信機４５でパワーオフ操作が行われたか否かが判別される。ここで、パワーオフ操作が行われたと判別されたときにはステップＳＴ３４に進み、パワーオフ操作が行われたと判別されていないときにはステップＳＴ３５に進む。
【００６９】
ステップＳＴ３４では、ステータス信号ＳＭＰbによってメイン制御回路３５の動作終了がモード切替制御回路２７に示されてステップＳＴ３７に進む。
【００７０】
また、ステップＳＴ３５では、オフタイマーの設定がなされているときに、設定された時間が経過したか否かの判別が行われる。ここで、時間が設定時間分だけ経過していないときにはステップＳＴ３１に戻り、時間が経過したときにはステップＳＴ３６に進む。
【００７１】
ステップＳＴ３６では、オフ制御信号ＳＯＴbによってオフ時間となったことがモード切替制御回路２７に示されてステップＳＴ３７に進む。
【００７２】
ステップＳＴ３７では、ステータス信号ＳＭＰbによってメイン制御回路３７の動作終了あるいはオフ制御信号ＳＯＴbによってテレビジョン装置のオフ時間となったことがモード切替制御回路２７で判別されて、モード切替制御回路２７の動作が低消費電力モードから通常モードに切り替えられる。また、モード切替制御回路２７でスイッチ制御信号ＣＴbを生成して、このスイッチ制御信号ＣＴbによって電源スイッチ１８をオフ状態に設定すると共にメイン制御回路３７の動作モードを通常モードから低消費電力モードに切り替えてステップＳＴ３８に進む。
【００７３】
ステップＳＴ３８では、電源キー２８が操作されたか否かの判別が行われて、操作信号ＣＰに基づき電源キー２８が操作されたと判別されたときにはステップＳＴ３９に進み、操作されたと判別されていないときにはステップＳＴ４２に進む。
【００７４】
ステップＳＴ３９では、モード切替制御回路２７の動作モードを通常モードから低消費電力モードに切り替えてステップＳＴ４０に進む。
【００７５】
ステップＳＴ４０では、電源キー２８が操作されたか否かの判別が行われて、操作信号ＣＰに基づき電源キー２８が操作されたと判別されたときにはステップＳＴ４１に進み、操作されたと判別されていないときにはステップＳＴ４０に戻る。
【００７６】
ステップＳＴ４１では、モード切替制御回路２７の動作モードが低消費電力モードから通常モードに切り替えられてステップＳＴ１５に戻る。
【００７７】
またステップＳＴ３８からステップＳＴ４２に進むと、ステップＳＴ４２では、リモコン受信回路４０からの受信信号ＲＳに基づき、パワーオン操作が行われたか否かが判別される。ここで、パワーオン操作が行われたと判別されていないときにはステップＳＴ３８に戻り、パワーオフ操作が行われたと判別されたときにはステップＳＴ１５に戻る。
【００７８】
このようにして、テレビジョン装置が動作状態あるいは待機状態であるときに電源キー２８が操作されたときにはモード切替制御回路２７とメイン制御回路３７が低消費電力モードとされる。
【００７９】
ここで、図８および図９を用いて第２の実施の形態でのモード切替制御回路２７やメイン制御回路３７等の動作を説明する。
【００８０】
図８に示すように、テレビジョン装置の動作中はモード切替制御回路２７（図８Ａ）が低消費電力モード、スイッチ制御信号ＣＴb（図８Ｂ）がハイレベル「Ｈ」なり、メイン制御回路（図８Ｃ）は通常モードとされると共に、電源スイッチ１８がオン状態とされてテレビジョンブロック５０に対して電力Ｐma（図８Ｄ）の供給が行われる。
【００８１】
ここで、例えば時点ｔ21でタイマーオフ時間となり、オフ制御信号ＳＯＴb（図８Ｅ）の信号レベルがハイレベル「Ｈ」となると、モード切替制御回路２５では、オフ制御信号ＳＯＴbがハイレベル「Ｈ」とされたことにより動作モードを通常モードに切り替えると共に、テレビジョン装置の動作終了時間となったと判別して、スイッチ制御信号ＣＴbをローレベル「Ｌ」として電源スイッチ１８をオフ状態とする。このため、テレビジョンブロック５０に対して電力Ｐmaの供給が停止されて、設定された時間経過後に自動的にテレビジョン装置が待機状態に切り替えられる。また、スイッチ制御信号ＣＴbがローレベル「Ｌ」とされるとから、メイン制御回路３７は低消費電力モードとされる。
【００８２】
テレビジョン装置が待機状態であるときに時点ｔ22でパワーオン操作をリモコン送信機４５で行うと、モード切替制御回路２７では、受信信号ＲＳ（図８Ｆ）に基づき、スイッチ制御信号ＣＴbをハイレベル「Ｈ」として電源スイッチ１８をオン状態として、メイン制御回路３７を低消費電力モードから通常モードに切り替えると共に、テレビジョンブロック５０に対して電力Ｐmaの供給を開始する。
【００８３】
また、メイン制御回路３７では、動作が通常モードに切り替えられたことからステータス信号ＳＭＰb（図８Ｇ）の信号レベルをハイレベル「Ｈ」とする。このステータス信号ＳＭＰbによって、モード切替制御回路２７ではメイン制御回路３５の動作が開始されたことが判別されて、動作モードを低消費電力モードに切り替える。
【００８４】
その後、時点ｔ23で電源キー２８が操作されて操作信号ＣＰ（図８Ｈ）がモード切替制御回路２７に供給されると、モード切替制御回路２７は通常モードとなり、スイッチ制御信号ＣＴbをローレベル「Ｌ」として電源スイッチ１８をオフ状態とする。このため、テレビジョンブロック５０に対して電力Ｐmaの供給が停止されて、テレビジョン装置の動作が終了される。また、スイッチ制御信号ＣＴbがローレベル「Ｌ」とされるとから、メイン制御回路３７は低消費電力モードとされる。その後、モード切替制御回路２７を通常モードから低消費電力モードとする。
【００８５】
このように、テレビジョン装置が動作状態であるときに電源キー２８が操作されると、テレビジョンブロック５０に対して電力Ｐmaの供給が停止されてテレビジョン装置の動作が終了されると共に、モード切替制御回路２７とメイン制御回路３７は低消費電力モードとされる。
【００８６】
図９は、テレビジョン装置が待機状態とされているときに、電源キー２８が操作された場合を示している。時点ｔ31でテレビジョン装置が待機状態とされた後、時点ｔ32で電源キー２８が操作されて操作信号ＣＰ（図９Ｈ）がモード切替制御回路２７に供給されると、モード切替制御回路２７（図９Ａ）では動作モードを通常モードから低消費電力モードに切り替える。
【００８７】
このように、上述の第３の実施の形態では、テレビジョン装置が待機状態あるいは動作状態であるときに電源キー２８が操作されると、モード切替制御回路２７とメイン制御回路３７が低消費電力モードとされる。このため、モード切替制御回路２７が通常モードとされるテレビジョン装置の待機状態よりもさらに消費電力を少ないものにできる。
【００８８】
なお、上述の実施の形態では、電子機器がテレビジョン装置である場合について説明したが、電子機器はテレビジョン装置に限られるものではなく、オーディオ装置等であっても良いことは勿論である。
【００８９】
この発明によれば、表示装置の切替操作に基づいて、第２の制御手段で第１の制御手段が制御されて表示装置が動作状態あるいは待機状態に切り替えられる。ここで、表示装置が待機状態とされたとき、第２の制御手段で動作制御を行い、第１の制御手段による表示手段の表示の制御が停止されるので、待機時の消費電力を削減することができる。
【００９０】
また、第２の制御手段は、通常モードと通常モードよりも消費電力の少ない低消費電力モードを備え、第１の制御手段で表示装置の表示の制御が行われているときに低消費電力モードとされるので、表示装置が動作状態とされているときに第２の制御手段で消費される電力を削減することができる。さらに、第１の制御手段は、通常モードと通常モードよりも消費電力の少ない低消費電力モードを備え、表示装置が動作状態でないときに低消費電力モードとされるので、表示手段が待機状態とされているときに第１の制御手段で消費される電力を削減することもできる。
【００９２】
さらに、第１の制御手段が有するタイマー手段は、通常モードと低消費電力モードで動作するため、タイマー手段が経過時間に基づいて第１の制御手段や第２の制御手段のモード切り替えを行うことで、正しくタイマー動作を行うことができる。
【図面の簡単な説明】
【図１】この発明に係る電子機器の第１の実施の形態の構成を示す図である。
【図２】第１の実施の形態の動作を示すフローチャートである。
【図３】第１の実施の形態の動作を説明するための図である。
【図４】この発明に係る電子機器の第２の実施の形態の構成を示す図である。
【図５】第２の実施の形態の動作を示すフローチャートである。
【図６】第２の実施の形態の動作を説明するための図である。
【図７】第２の実施の形態の他の動作を示すフローチャートである。
【図８】第２の実施の形態の他の動作を説明するための図である。
【図９】第２の実施の形態の他の動作を説明するための図である。
【符号の説明】
１２  プラグ
１５  主電源スイッチ
１５a，１５b  端子
１８  電源スイッチ
１８a，１８b  端子
２２  サブ電源回路
２５，２７  モード切替制御回路
２８  電源キー
３０  モード切替スイッチ
３０a，３０b  端子
３２  メイン電源回路
３５，３７  メイン制御回路
３８  操作部
４０  リモコン受信回路
４５  リモコン送信機
５０  テレビジョンブロック
【図１】
0003997638.tif 000002
【図２】
0003997638.tif 000003
【図３】
0003997638.tif 000004
【図４】
0003997638.tif 000005
【図５】
0003997638.tif 000006
【図６】
0003997638.tif 000007
【図７】
0003997638.tif 000008
【図８】
0003997638.tif 000009
【図９】
0003997638.tif 000010